(57)【特許請求の範囲】
【請求項１】
戸板の骨格部材を、左右側板と、その上下端に架設する上側板及び下側板と、左右側板の中間に配設する中間板と左右側板と中間板との間に架設する仕切り板とより構成すると共に、
左右側板の内側端面には側板用溝部を、中間板の両側端面には、中間板用溝部を、上側板の下側端面には上側板用溝部を、下側板の上側端面には下側板用溝部を、仕切り板の上下側端面には、仕切り板用溝部を、それぞれ形成し、
上下側板の左右側端面には側板用ほぞを、仕切り板の左右側端面には仕切り板用ほぞを、それぞれ突設し、各ほぞは、各部材の接合時に所定の溝部に嵌着自在とし、
戸板の骨格部材を先に塗装しておき、その後に組立てを行うことにより塗装戸板とする戸板構造において、
左右側板の板厚を上下側板の板厚より厚くして左右側板間に上側板及び下側板を架設することにより、左側板と上側板、左側板と下側板、右側板と上側板、右側板と下側板とを、それぞれ板厚の差による段差を設けて接合したことを特徴とする戸板構造。
【発明の詳細な説明】
【０００１】
【発明の属する技術分野】
この発明は、家具建具等の戸板構造に関する。
【０００２】
【従来の技術】
従来、ドアやクローゼット等の建具類、或は家具等の戸板は、両側縁の両側板と、その上下端を連結する上側板及び下側板と、上板と下板の中央部間に架設し、両側板の中間に配設する中間板と、中間板の中央と両側板間に架設する仕切り板とより構成されている。
【０００３】
そして、これらの部材よりなる戸板は、各部材の組立てにより形成された方形状のかこみ空間にガラスや化粧板をはめ込んで構成されている。
【０００４】
しかも、各部材の組立ては、溝とほぞ、或は連結具等を用いて接合して行っている。
【０００５】
このようにして戸板を予め組付けた後に全体を塗装して戸板製品としている。
【０００６】
【発明が解決しようとする課題】
このような戸板は装飾的な色彩が強いため、接合部のずれや塗装の不良等の外観的に認識される不良に対して厳しい規格が存在する。
【０００７】
そのため、従来の戸板では、予め戸板の組立てを行った後に塗装を施すことにより、塗装後、各部材が収縮または膨張することにより各接合部にわずかなずれが発生し、そのわずかなずれのために不良製品となるという欠点があった。
【０００８】
さらに、接合部がずれることにより、接合部に隠れて塗料が付着されていない部分が未塗装状態として視覚に認識されることから、外観的な不良製品となる欠点があった。
【０００９】
【課題を解決するための手段】
この発明は、戸板の骨格部材を、左右側板と、その上下端に架設する上側板及び下側板と、左右側板の中間に配設する中間板と左右側板と中間板との間に架設する仕切り板とより構成すると共に、左右側板の内側端面には側板用溝部を、中間板の両側端面には、中間板用溝部を、上下側板の下側端面には、上側板用溝部及び下側板用溝部を、仕切り板の上下側端面には、仕切り板用溝部を、それぞれ形成し、上下側板の左右側端面には側板用ほぞを、仕切り板の左右側端面には仕切り板用ほぞを、それぞれ突設し、各ほぞは、各部材の接合時に所定の溝部に嵌着自在とし、戸板の骨格部材を先に塗装しておき、その後に組立てを行うことにより塗装戸板とする戸板構造において、左右側板の板厚を上下側板の板厚より厚くして左右側板間に上側板及び下側板を架設することにより、左側板と上側板、左側板と下側板、右側板と上側板、右側板と下側板とを、それぞれ板厚の差による段差を設けて接合したことを特徴とする戸板構造を提供せんとするものである。
【００１０】
【発明の実施の形態】
この発明では、戸板の骨格部材を左右側板、上側板、下側板、中間板、仕切り板等より構成し、これらの部材を、組立てる前にまず塗装を行う。
【００１１】
塗装された骨格部材は、戸板に組立てられるものであるが、組立てに際しては側板用溝部、中間板用溝部、上側板用溝部、下側板用溝部、仕切り板用溝部に側板用ほぞ、仕切り板用ほぞを嵌着して各部材の接合、組立てを行う。
【００１２】
さらに、左右側板の肉厚を他の部材より大きくしておくことにより、組立て時に他部材との接合部分に故意に段差を生起させ、その段差に外観上の装飾的意義をもたせることにより、接合部に生起されたずれ等に対して行われていた厚みの仕上げ調整が不要となる。
【００１３】
また、組立て前の各部材を塗装しておき、その後に組立てることにより、組立て後に接合部にずれが生起されても、外観上、未塗装部分が生じることはい。
【００１４】
【実施例】
この発明の実施例を図面にもとづき詳説する。
【００１５】
図１は、本発明の家具等の戸板構造に使用する骨格部材Ｘの分解説明図である。
【００１６】
骨格部材Ｘは、次の構成よりなる。
【００１７】
すなわち、左右側板Ａ，Ａ′と、その上下端に架設する上側板Ｂ、及び下側板Ｂ′と、左右側板Ａ，Ａ′の中間に配設する中間板Ｃと、左右側板Ａ，Ａ′と中間板Ｃとの間に架設する仕切り板Ｄ，Ｄ′とよりなる。
【００１８】
Ｅは、これらの骨格部材により形成される方形空間にはめこまれるはめ板であり、はめ板Ｅは、薄板の場合やガラス板の場合等、その種類を問わない。
【００１９】
また、左右側板Ａ，Ａ′の板厚Ｔは少くとも上下側板Ｂ，Ｂ′または中間板Ｃの板厚ｔよりも大きくしている。
【００２０】
さらに、左右側板Ａ，Ａ′の内側端面には側板用溝部１，１′を凹設し、また中間板Ｃの両側端面には中間板用溝部２，２′を凹設し、また、上下側板Ｂ，Ｂ′の下側端面には上側板用溝部３及び下側板用溝部３′を凹設し、また仕切り板Ｄ，Ｄ′の上下側端面には仕切り板用溝部５，５′を凹設している。
【００２１】
また、上下側板Ｂ，Ｂ′の左右側端面には、上下側板用ほぞ６，７，６′，７′を突設し、仕切り板Ｄ，Ｄ′の左右側端面には仕切り板用ほぞ８，９，８′，９′を突設している。
【００２２】
しかも、各ほぞ６，７，６′，７′，８，９，８′，９′は対応する各溝部１，１′，２，２′にそれぞれ嵌着自在となっている。
【００２３】
また、はめ板Ｅの周縁部は、各溝部１，１′，２，２′，３，３′，５，５′にそれぞれ嵌着自在となっている。
【００２４】
ここで、上下側板Ｂ、Ｂ′に形成されるほぞの構造として、上下側板Ｂ、Ｂ′と、左右側板Ａ，Ａ′との接合における接合強度を高めるために、上下側板Ｂ、Ｂ′の左右側端面に形成されている上下側板用ほぞ６、６′、７、７′において、図５に例示すように、ほぞの一部をほぞの方向により長く形成したほぞ延長部１０、１１を設けることにより、左右側板Ａ、Ａ′に、より深くまで嵌着できるようにしてもよい。
【００２５】
このとき、左右側板Ａ，Ａ′には、ほぞ延長部１０、１１が嵌入するほぞ穴を形成しておくことはいうまでもない。
【００２６】
以上のように構成された骨格部材Ｘは、戸板Ｍに組立てられる前に各板Ａ，Ａ′，Ｂ，Ｂ′，Ｃ，Ｄ，Ｄ′を予め全面塗装処理され、その後、溝とほぞを利用して組み立てられて図２に示す戸板Ｍが構成される。
【００２７】
組立てに際しては、左右側板Ａ，Ａ′の側板用溝部１，１′に、上下側板用ほぞ６，７，６′，７′を嵌着して、方形枠体に形成すると同時に、仕切り板Ｄ，Ｄ′の仕切り板用ほぞ８，９，８′，９′を、左右側板Ａ，Ａ′の側板用溝部１，１′及び中間板Ｃの中間板用溝部２，２′中に嵌着して、上記方形枠体の中に縦方向の中間板Ｃを配設固定する。
【００２８】
かかる組立て時には、当然に、左右側板Ａ，Ａ′と上下側板Ｂ，Ｂ′と中間板Ｃと仕切り板Ｄ，Ｄ′との間に形成される方形空間には、各板Ａ，Ａ′，Ｂ，Ｂ′，Ｃ，Ｄ，Ｄ′の溝部１，１′，２，２′，３，３′，５，５′中にはめ板Ｅが嵌着される。
【００２９】
さらに、図３，４に示すように、左右側板Ａ，Ａ′の板厚Ｔは上下側板Ｂ，Ｂ′または中間板Ｃの板厚ｔより肉厚に構成されているので、組み立てた際に、この板厚の差が段差となって形成され、しかもこの段差が装飾的な意義も有するため、組立て後に、接合部に生起されたずれを修正する面合わせ作業が不要となる。
【００３０】
そのうえ、組立て前に各板Ａ，Ａ′，Ｂ，Ｂ′，Ｃ，Ｄ，Ｄ′が全面塗装されているために段差の部分も塗装された状態となっており、組立後にずれが生起されても未塗装部分が生じるおそれはない。
【００３１】
【発明の効果】
この発明によれば、戸板の骨格部材が左右側板と上下側板と中間板と仕切り板とより構成されており、これらを戸板に組立てる前に、全面塗装し、かつ左右側板の板厚を少くとも上下側板または中間板の板厚よりも厚くしているので、現場の組立て作業が容易となり、また、組立て時に接合部分にずれが生起されても、未塗装部分がないため、未塗装面が露出することはなく、美麗に仕上げることができる効果がある。
【００３２】
更には、左右側板の板厚を大きくしているので、組立てた際に段差が生起され、その部分に装飾的意義を生起させることにより、接合部に生起されたずれを修正するために行われていた面仕上げ作業の煩わしさを回避できるとともに、接合部のずれによる不良製品の発生を防止することができる効果がある。
【００３３】
以上のように、組立て作業の煩雑さを取り除き、かつ、外観上の美麗さを保持しながら生産コストの大幅なダウンをすることができる、工業上、極めて有利な戸板を提供することができる効果がある。
【図面の簡単な説明】
【図１】本発明戸板構造の分解説明図。
【図２】本発明戸板構造で製造した戸板の正面図。
【図３】同平面図。
【図４】同横断平面図。
【図５】他の実施例の説明図
【符号の説明】
Ｘ    骨格部材
Ａ    左側板
Ａ′  右側板
Ｂ    上側板
Ｂ′  下側板
Ｃ    中間板
Ｄ    仕切り板
Ｄ′  仕切り板
Ｅ    はめ板
Ｍ    戸板
【図１】
0003842431.tif 000002
【図２】
0003842431.tif 000003
【図３】
0003842431.tif 000004
【図４】
0003842431.tif 000005
【図５】
0003842431.tif 000006